(57)【要約】【課題】  ドラムアダプタの取付作業が楽になるようにする。【解決手段】  ２つ割り形状で、かつ両端部にフランジ部４３，４７が設けられた一対の巻胴部４１，４５と、ウインチ２７の胴部２７ｂを挟み込んだ状態の両巻胴部４１，４５を互いに締結する締結部５７と、第２巻胴部４５に設けられる取付部５９と、ウインチ２７の胴部２７ｂに掛け渡された状態で取付部５９に取り付けられるＵボルト６１とを備えている。【選択図】      図３
2006315810.tif 000002
【特許請求の範囲】
【請求項１】
ロープを巻き取るウインチに取り付けられるドラムアダプタであって、
２つ割り形状に構成された一対の巻胴部と、
前記ウインチの胴部を挟み込んだ状態の前記両巻胴部を互いに締結する締結部と、
前記巻胴部の一方に設けられた取付部と、
前記ウインチの胴部に掛け渡されて、前記一方の巻胴部との間にこの胴部を挟み込んだ状態で前記取付部に取り付けられる押え具とを備えていることを特徴とするウインチ用ドラムアダプタ。
【請求項２】
前記巻胴部は、巻胴部本体と、この巻胴部本体の両端部に設けられたフランジ部とを備え、
前記締結部は、各フランジ部に配設され、互いに締結される平板部材を備え、
前記取付部は、前記一方の巻胴部において前記平板部材と一体的に構成されていることを特徴とする請求項１に記載のウインチ用ドラムアダプタ。
【請求項３】
少なくとも一方の前記巻胴部におけるフランジ部には、ロープを通すための挿通孔が設けられていることを特徴とする請求項２に記載のウインチ用ドラムアダプタ。
【請求項４】
ロープを前記ウインチのフランジ部に固定するためのロープ押え具が設けられ、
前記ロープ押え具は、複数種類のロープ径にそれぞれ対応した複数の溝部と、この溝部が設けられた面及びその対向面間を貫通するボルト挿通孔とを備えていることを特徴とする請求項１から３の何れか１項に記載のウインチ用ドラムアダプタ。
【請求項５】
前記押え具は、両端部が雄ねじ部に形成されたＵボルトと、前記雄ねじ部に螺合されるナットとを備え、
前記取付部と前記ナットとの間には、前記Ｕボルトに外嵌されたスリーブが介装されていることを特徴とする請求項１から４の何れか１項に記載のウインチ用ドラムアダプタ。
【請求項６】
ロープを巻き取るウインチにドラムアダプタを取り付ける方法であって、
２つ割形状で、かつ両端部にフランジ部が設けられた一対の巻胴部の一方を前記ウインチの胴部に上から被せる工程と、
Ｕボルトを前記ウインチの胴部に下から掛け渡すとともに、その両端部を前記一方の巻胴部におけるフランジ部に設けられた取付部に締結して、前記一方の巻胴部をウインチに固定する工程と、
前記一方の巻胴部を前記ウインチの胴部とともに回転して、この胴部の下側に配置させる工程と、
下側に前記一方の巻胴部が配置された前記ウインチの胴部にもう一方の巻胴部を上から被せるとともに、この巻胴部を前記一方の巻胴部に締結する工程とが含まれていることを特徴とするウインチ用ドラムアダプタの取付方法。
【発明の詳細な説明】
【技術分野】
【０００１】
本発明は、ウインチに取り付けられるウインチ用ドラムアダプタ及びその取付方法に関するものである。
【背景技術】
【０００２】
従来、下記特許文献１に開示されているように、ロープ巻取りドラムとして、内層ドラムと外層ドラムとしてのドラムアダプタとを備えたものが知られている。図１４及び図１５に示すように、同文献に開示されたロープ巻取りドラムでは、ドラムアダプタ９２を円筒の半割り状に形成された一対のバレル９２ａ，９２ｂによって構成し、両バレル９２ａ，９２ｂの突合せ面同士をボルト９３で締結する構成にすることにより、ドラムアダプタ９２を内層ドラム９１に着脱可能に取り付けるようにしている。
【特許文献１】実開昭６２−９６０９５号公報
【発明の開示】
【発明が解決しようとする課題】
【０００３】
しかしながら、従来のドラムアダプタ９２では、両バレル９２ａ，９２ｂ同士を互いにボルト９３で締結する構成なので、ドラムアダプタ９２の着脱作業が煩わしいものになるという問題があった。すなわち、ドラムアダプタ９２は、ロープに張力がかかることを考慮して強度を確保すべく、鋼製としており、重量物である。このため、ドラムアダプタ９２の着脱作業時においては、両バレル９２ａ，９２ｂをクレーンで吊下げ、その状態で下に支持材を挿入したり、下からジャッキで持ち上げたりする必要がある。そして、その上で両バレル９２ａ，９２ｂを位置決めして締結している。しかしながら、ウインチが設置される機体上は狭く、十分な足場がない場合もある。このため、ドラムアダプタ９２の着脱作業が煩わしいものになっていた。
【０００４】
そこで、本発明は、かかる点に鑑みてなされたものであり、その目的とするところは、ドラムアダプタの取付作業が楽になるようにすることにある。
【課題を解決するための手段】
【０００５】
前記の目的を達成するため、本発明は、ロープを巻き取るウインチに取り付けられるドラムアダプタを前提として、２つ割り形状に構成された一対の巻胴部と、前記ウインチの胴部を挟み込んだ状態の前記両巻胴部を互いに締結する締結部と、前記巻胴部の一方に設けられた取付部と、前記ウインチの胴部に掛け渡されて、前記一方の巻胴部との間にこの胴部を挟み込んだ状態で前記取付部に取り付けられる押え具とを備えている。
【０００６】
この構成では、押え具によって前記一方の巻胴部をウインチの胴部に固定するようにしているので、もう一方の巻胴部を締結していない状態であっても、前記一方の巻胴部をウインチの胴部と一緒に回転させることが可能となる。このため、ドラムアダプタの取付作業時において、前記一方の巻胴部をウインチの胴部に上から被せて、押え具でウインチに固定すれば、この巻胴部がウインチの胴部の下になるように回転させることにより、もう一方の巻胴部もウインチの胴部に上から被せることができるようになる。このため、重量物である巻胴部の取付作業をスペース的に余裕のない場所で行う場合、足場の少ない場所で行う場合、高所で行う場合等にも作業が煩雑になるのを抑制することができる。また、ドラムアダプタの取り外し作業についても、取付作業の反対の要領で行うことができるので、同様に作業が煩雑になるのを抑制することができる。
【０００７】
ここで、前記巻胴部は、巻胴部本体と、この巻胴部本体の両端部に設けられたフランジ部とを備え、前記締結部は、各フランジ部に配設され、互いに締結される平板部材を備え、前記取付部は、前記一方の巻胴部において前記平板部材と一体的に構成されていてもよい。
【０００８】
また、少なくとも一方の前記巻胴部におけるフランジ部には、ロープを通すための挿通孔が設けられていてもよい。
【０００９】
この構成では、挿通孔に、ウインチに固定されたロープを通すことにより、端末がウインチに固定された状態でロープをドラムアダプタの巻胴部に容易に巻き付けていくことができる。この結果、ウインチに固定されたロープをそのまま使用できる。しかも、ロープの張力がドラムアダプタのフランジ部にかからないようにできるので、ドラムアダプタの設計の自由度が制約されるのを抑制することができる。
【００１０】
ロープを前記ウインチのフランジ部に固定するためのロープ押え具が設けられ、前記ロープ押え具は、複数種類のロープ径にそれぞれ対応した複数の溝部と、この溝部が設けられた面及びその対向面間を貫通するボルト挿通孔とを備えていてもよい。
【００１１】
この構成では、ウインチで巻き取られるロープの径に応じて適宜溝部を選択し、その溝部とウインチのフランジ部との間にロープを挟持することができる。この結果、１つのロープ押え具で複数種類の径のロープに対応できるので、ロープ押え具の汎用性を向上することができる。また、例えばドラムアダプタを取り付ける際に、ロープを径の異なるものに変更する場合でもロープ押え具を交換する等の手間を省くことができるので、取付作業をさらに楽に行うことができるようになる。
【００１２】
前記押え具は、両端部が雄ねじ部に形成されたＵボルトと、前記雄ねじ部に螺合されるナットとを備え、前記取付部と前記ナットとの間には、前記Ｕボルトに外嵌されたスリーブが介装されていてもよい。
【００１３】
この構成では、Ｕボルトの両端部が取付部から離れた位置に設定することが可能となり、例えば、Ｕボルト周囲のスペースが狭い場合であっても、ナットの螺合作業が行い難くなるのを抑制することができる。
【００１４】
また、本発明は、ロープを巻き取るウインチにドラムアダプタを取り付ける方法を前提として、２つ割形状で、かつ両端部にフランジ部が設けられた一対の巻胴部の一方を前記ウインチの胴部に上から被せる工程と、Ｕボルトを前記ウインチの胴部に下から掛け渡すとともに、その両端部を前記一方の巻胴部におけるフランジ部に設けられた取付部に締結して、前記一方の巻胴部をウインチに固定する工程と、前記一方の巻胴部を前記ウインチの胴部とともに回転して、この胴部の下側に配置させる工程と、下側に前記一方の巻胴部が配置された前記ウインチの胴部にもう一方の巻胴部を上から被せるとともに、この巻胴部を前記一方の巻胴部に締結する工程とが含まれている。
【００１５】
この取付方法では、一方の巻胴部をウインチに固定した後で、この一方の巻胴部をウインチの胴部の下になるように回転し、他方の巻胴部を上から被せるようにしているので、巻胴部の双方をウインチの胴部に上から被せることができる。このため、重量物である巻胴部の取付作業をスペース的に余裕のない場所で行う場合、足場の少ない場所で行う場合、高所で行う場合等にも作業が煩雑になるのを抑制することができる。
【発明の効果】
【００１６】
以上説明したように、本発明によれば、一方の巻胴部をウインチに固定することにより、両巻胴部をそれぞれウインチに上から被せることができるので、ドラムアダプタの取付作業を楽に行えるようにすることができる。
【発明を実施するための最良の形態】
【００１７】
以下、本発明を実施するための最良の形態について図面を参照しながら詳細に説明する。
【００１８】
図１は、本発明の実施形態に係るウインチ用ドラムアダプタ（以下、ドラムアダプタと称する）４０（図２〜図５参照）が取り付けられるウインチを備える建設機械の一例としてのクローラクレーン１０の全体構成を示している。
【００１９】
このクローラクレーン１０は、下部走行体１１と、この下部走行体１１に旋回自在に設けられた上部旋回体１２と、この上部旋回体１２に起伏自在に支持されたアタッチメント１３とを備えている。アタッチメント１３は、ラチス状のブーム１５を備えており、このブーム１５の先端には主巻用フック１７、補巻用フック１８及び第３フック１９が吊下げられている。主巻用フック１７は、上部旋回体１２に設置された主ウインチ２１から繰り出される主巻用ロープ２２によって上下動する。また、補巻用フック１８は、上部旋回体１２に設置された補ウインチ２４から繰り出される補巻用ロープ２５によって上下動する。また、第３フック１９は、ブーム１５に設置された第３ウインチ２７から繰り出される第３ロープ２８によって上下動する。主巻用ロープ２２、補巻用ロープ２５及び第３ロープ２８は、例えばそれぞれ径の異なるものが用いられている。
【００２０】
クローラクレーン１０には、前記以外にブームウインチ３１、第４ウインチ３２、第５ウインチ３３及び第６ウインチ３４が搭載されている。ブームウインチ３１は、ブーム１５を起伏するために使用されるものであり、上部旋回体１２に設置されている。第４ウインチ３２は、上部旋回体１２に設置されるものであり、ここから繰り出される第４ロープ３６は、例えばキャブタイヤケーブルや油圧ホース（図示省略）を吊り上げるのに使用される。第５ウインチ３３は、ブーム１５に設置されるものであり、ここから繰り出される第５ロープ３７は、例えば鋼管等の重量物をクレーンで吊り上げ可能な範囲にまで引き込むのに使用される。第６ウインチ３４は、ブーム１５に設置されるものであり、ここから繰り出される第６ロープ３８は、例えば主巻用フック１７にバイブロハンマ（図示省略）等を吊下げたときに、このバイブロハンマを支持（引き寄せ）するのに使用される。例えば、図略の鋼管杭等を吊るした場合等バイブロハンマがじゃまになるときに、バイブロハンマを手前に引き寄せるのに使用することができる。
【００２１】
前記ウインチ２１，２４，２７，３１，３２，３３，３４から繰り出されるロープ２２，２５，２８，３６，３７，３８は、径が異なるものもある。そして、作業目的等に応じて径の異なるものを使い分けるようにしている。そこで、前記ウインチの少なくとも１つに本発明に係るドラムアダプタ４０を取り付けることにより、そのウインチに径の異なるロープを使用できるようになる。ここでは、その一例として第３ウインチ（以下、単にウインチと称する）２７にドラムアダプタ４０が取り付けられているものとして、説明を続ける。
【００２２】
ドラムアダプタ４０は、図２〜図５に示すように、２つ割形状の一対の巻胴部４１，４５を備えている。図２〜図４で上側に示す一方の巻胴部（例えば第１巻胴部）４１は、円筒を半割りした断面円弧状の巻胴部本体４２と、この巻胴部本体４２の両端部にそれぞれ設けられるフランジ部４３とを備えている。巻胴部本体４２は、ウインチ２７の胴部２７ｂの外径に対応した内径を有している。巻胴部本体４２の外周面は、ロープ溝の形成されていない軸方向にフラットな形状に構成されている。なお、巻胴部本体４２の外周面には、ロープ溝が形成されていてもよい。
【００２３】
各フランジ部４３は、巻胴部本体４２から半径方向の外側に延出される平板形状のものであり、軸方向に見ると半円の円弧状に形成されている。フランジ部４３の周方向端面となっている下端面と、巻胴部本体４２の周方向端面となっている下端面とは、面一となっている。フランジ部４３は、ウインチ２７のフランジ部（ウインチ側のフランジ部）２７ａと略同径の外径に構成されている。
【００２４】
図２〜図４で下側に示す他方の巻胴部（例えば第２巻胴部）４５にも、第１巻胴部４１と同様に巻胴部本体４６とフランジ部４７が設けられている。両巻胴部本体４２，４６は、これらを所定の隙間を介在させて突き合せる（周方向端面を対向させる）と円筒状になるようになっている。これにより、両巻胴部本体４２，４６をウインチ２７の胴部２７ｂに被せることができるようになっている。
【００２５】
第１巻胴部４１の各フランジ部４３には、その周方向端部にそれぞれ第１平板部材５０が配設されている。これら第１平板部材５０は、フランジ部４３の軸方向外面にそれぞれ固定されるものであり、前記周方向端面と平行に配置されている。図２に示すように、第１平板部材５０はフランジ部４３の半径方向に沿って配設されており、その内端部はフランジ部４３の内端部よりも外側に位置している。第１平板部材５０の外端部はフランジ部４３の外端部にほぼ一致している。
【００２６】
第２巻胴部４５の各フランジ部４７には、その周方向端部にそれぞれ第２平板部材５２が配設されている。これら第２平板部材５２は、フランジ部４７の軸方向外面にそれぞれ固定されるものであり、前記周方向端面と平行に配置されている。第２平板部材５２はフランジ部４７の半径方向に沿って配設されており、その内端部はフランジ部４７の内端部とほぼ一致している。第２平板部材５２の外端部はフランジ部４７の外端部にほぼ一致している。この結果、第２平板部材５２は、第１平板部材５０よりも半径方向に長い形状となっている。そして、両巻胴部４１，４５をウインチ２７の胴部２７ｂに被せると、第１平板部材５０と第２平板部材５２における外側部とが対向配置されることとなる。
【００２７】
第１平板部材５０と第２平板部材５２には、両巻胴部４１，４５をウインチ２７の胴部２７ｂに被せた状態でそれぞれ対応する位置にボルト挿通孔５０ａ，５２ａ（図２参照）が貫通形成されている。そして、両ボルト挿通孔５０ａ，５２ａに挿通されたボルト５４にナット５５を螺合させることによって両平板部材５０，５２を締結している。言い換えると、両平板部材５０，５２と、ボルト挿通孔５０ａ，５２ａに挿通されたボルト５４と、このボルト５４に螺合されたナット５５とによって、両巻胴部４１，４５を互いに締結する締結部５７が構成されている。
【００２８】
第２平板部材５２には、取付部５９が一体的に構成されている。具体的には、図５に示すように、第２平板部材５２は、第１平板部材５０よりも内側に突出していて、この突出した部位によって取付部５９が構成されている。取付部５９にはボルト挿通孔５９ａが貫通形成されている。第２平板部材５２において、取付部５９のボルト挿通孔５９ａと、締結部５７のボルト挿通孔５２ａとは、半径方向に並んでいる。なお、取付部５９は、第２平板部材５２と一体的に構成しなくてもよい。
【００２９】
取付部５９のボルト挿通孔５９ａには、押え具の一例としてのＵボルト６１が挿通されている。このＵボルト６１は、ウインチ２７の胴部２７ｂの外周面に沿うように半円周状に湾曲した押え部６１ａと、押え部６１ａの両側に配置された直線部６１ｂとを備えている。押え部６１ａは、第１巻胴部４１の軸方向外側におけるウインチ２７の胴部２７ｂに掛け渡されている。
【００３０】
直線部６１ｂは、ボルト挿通孔５９ａに挿通された状態で第２巻胴部４５のフランジ部４７の外端部近傍にまで延出されている。この直線部６１ｂには、筒状のスリーブ６３が外嵌されている。そして、取付部５９との間にスリーブ６３を介在させた状態で直線部６１ｂの先端の雄ねじ部にナット６４が螺合されている。これにより、スリーブ６３は、第２平板部材５２の第２巻胴部４５側（図２の下側）で第２平板部材５２に係止されている。そして、第２巻胴部４５の巻胴部本体４６と、両側のＵボルト６１とでウインチ２７の胴部２７ｂを上下両側から支持している。
【００３１】
図３及び図４に示すように、ウインチ側のフランジ部２７ａは、アダプタ側のフランジ部４３，４７とほぼ同径に形成されている。そして、ウインチ側のフランジ部２７ａとアダプタ側のフランジ部４３，４７との間には、わずかな間隙しか形成されていない。このため、雄ねじ部が形成されたＵボルト６１の先端部がフランジ部４７の外端部近傍に配置されることにより、ウインチ側のフランジ部２７ａが存在していたとしても、Ｕボルト６１のねじ止め作業を容易に行えるようになっている。なお、両フランジ部２７ａ，４７間に十分な間隙があるような場合等には、Ｕボルト６１の先端部が第２平板部材５２の近傍に位置するようにし、スリーブ６３を介在させることなく、ナット６４を螺合させる構成としてもよい。
【００３２】
各巻胴部４１，４５の一方（図３，図４の左側）のフランジ部４３，４７の適所には、それぞれウインチ側のフランジ部２７ａとの間隔を調整するための間隔調整手段が設けられている。具体的には、フランジ部４３，４７の軸方向外面における周方向の適所にボス部６６が突設されており、このボス部６６にねじ孔が設けられている。そして、このねじ孔には、ボルト６７がフランジ部４３，４７からウインチ側のフランジ部２７ａに向かって突出した状態で螺合されるとともに、このボルト６７の頭部がウインチ側のフランジ部２７ａに当接している。そして、このボルト６７にナット６８が螺合されてボルト６７の突出量が調整されてボス部６６に締め付けられている。これにより、アダプタ側のフランジ部４３，４７とウインチ側のフランジ部２７ａとの間の間隔を所望の幅に調整できるようになっている。
【００３３】
第１巻胴部４１における一方（図３、図４の左側）のフランジ部４３には、図２に示すように、ロープ挿通孔７０が貫通形成されている。このロープ挿通孔７０は、ウインチ２７に端末が固定されたロープ２８を巻胴部本体側に引き込んで、巻胴部本体４２，４６に巻き付けることができるようにするためのものである。ロープ挿通孔７０は、フランジ部４３における内周端部に周方向に所定の長さとなるように細長形状に形成されている。なお、ロープ挿通孔７０は、第２巻胴部４５のフランジ部４７に形成してもよく、あるいは両巻胴部４１，４５にそれぞれ形成してもよい。
【００３４】
第１巻胴部４１の第１平板部材５０と、第２巻胴部４５の第２平板部材５２との間には、図６に示すように、平板状のシム７２が挟み込まれている。このシム７２は、両巻胴部４１，４５の巻胴部本体４２，４６とウインチ２７の胴部２７ｂとの当たりを調整すべく、両フランジ部４３，４７間に挟み込まれるものであり、必要に応じた枚数だけ使用されている。
【００３５】
図７〜図９に示すように、ロープ２８の端部は、ロープ押え具７５によってウインチ２７のフランジ部２７ａに固定されている。ロープ押え具７５は、直方体形状に形成されるものであり、このロープ押え具７５の特定の隣り合う三面７５ａには、幅の異なる溝部７５ｂがそれぞれ形成されている。そして、各溝部７５ｂの両側にそれぞれボルト挿通孔７５ｃが貫通形成されている。すなわち、溝部７５ｂが形成された面７５ａと、その対向面との間をボルト挿通孔７５ｃが貫通している。これにより、溝部７５ｂが形成された面７５ａがフランジ部２７ａに対向するようにロープ押え具７５を配置するとともに、この溝部７５ｂとフランジ部２７ａとの間にロープ２８を挟み込んでボルト締結することにより、ロープ２８の端部を固定できるようになっている。
【００３６】
また、ボルト挿通孔７５ｃが開口する１つの対向面は平面に形成されているが、図９に示すように、この平面状の対向面でロープ２８を押えることも可能となっている。なお、この対向面にも、前記溝部７５ｂと幅の異なる溝部７５ｂを形成してもよい。すなわち、四面にそれぞれ幅の異なる溝部７５ｂを設けてもよい。
【００３７】
ここで、図１０〜図１３を参照しながら、本実施形態に係るドラムアダプタ４０の取付方法について説明する。まず、図１０に示すように、取付部５９が設けられた巻胴部（第２巻胴部）４５をクレーンによって吊下げながらウインチ２７の胴部２７ｂに上から被せる。そして、図１１に示すように、Ｕボルト６１をウインチ２７の胴部２７ｂに下から掛け渡し、その直線部６１ｂを第２巻胴部４５の取付部５９のボルト挿通孔５９ａに下から挿通する。そして、直線部６１ｂにスリーブ６３を外嵌し、フランジ部４７の外端部の近傍に位置する先端部にナット６４を螺合する。これにより、第２巻胴部４５がウインチ２７の胴部２７ｂに固定されることになる。
【００３８】
第２巻胴部４５がウインチ２７に固定されたので、ウインチ２７の胴部２７ｂを回転しても、第２巻胴部４５は外れない。そして、図１２に示すように、第２巻胴部４５がウインチ２７の胴部２７ｂの下になるように胴部２７ｂを回転する。この状態で静止して第１巻胴部４１をクレーンによって吊下げながらウインチ２７の胴部２７ｂに上から被せる。
【００３９】
そして、図１３に示すように、第１巻胴部４１の第１平板部材５０と第２巻胴部４５の第２平板部材５２とをボルト５４及びナット５５で締結することにより、両巻胴部４１，４５をウインチ２７に固定することができる。このとき、両平板部材５０，５２間にシム７２を適宜挟み込むことによって巻胴部４１，４５をウインチ２７に適切に固定できるようにする。なお、ドラムアダプタ４０を取り外すときには、これと逆の要領で取り外し作業を行うことができる。
【００４０】
以上説明したように、本実施形態によれば、巻胴部４１，４５を２つ割形状に構成するとともに、Ｕボルト６１によって第２巻胴部４５をウインチ２７の胴部２７ｂに固定するようにしているので、この第２巻胴部４５を固定した状態でウインチ２７の胴部２７ｂを回転可能となっている。このため、第１巻胴部４１についてもウインチ２７の胴部２７ｂに上から被せることが可能となり、ウインチ２７に取り付ける重量物である巻胴部４１，４５の取付作業をスペース的に余裕のない場所で行う場合、足場の少ない場所で行う場合、高所で行う場合等にも作業が煩雑になるのを抑制することができる。また、ドラムアダプタ４０の取り外し作業についても、取付作業の反対の要領で行うことができるので、同様に作業が煩雑になるのを抑制することができる。したがって、ドラムアダプタ４０の着脱作業を楽に行えるようにすることができる。
【００４１】
また、本実施形態では、第１巻胴部４１のフランジ部４３にロープ挿通孔７０を設けるようにしたので、端部がウインチ２７に固定されたロープ２８をドラムアダプタ４０に容易に巻き付けることが可能となっている。この結果、ウインチ２７に固定されたロープ２８をそのまま使用できる。しかも、ロープ２８の張力がドラムアダプタ４０のフランジ部４３，４７にかからないようにできるので、ドラムアダプタ４０の設計の自由度が制約されるのを抑制することができる。
【００４２】
また、本実施形態では、複数種類のロープ径に対応できるロープ押え具７５を使用するようにしたので、ウインチ２７で巻き取られるロープ２８の径に応じて適宜溝部７５ｂを選択し、その溝部７５ｂとウインチ２７のフランジ部２７ａとの間にロープ２８を挟持することができる。この結果、１つのロープ押え具７５で複数種類の径のロープに対応できるので、ロープ押え具７５の汎用性を向上することができる。また、例えばドラムアダプタ４０を取り付ける際に、ロープ２８を径の異なるものに変更する場合でもロープ押え具７５を交換する等の手間を省くことができるので、取付作業をさらに楽に行うことができるようになる。
【００４３】
また、本実施形態では、Ｕボルト６１の両端部をフランジ部４７の外端部近傍まで引き出すようにしたので、Ｕボルト６１周囲のスペースが狭い場合であっても、ナット６４の螺合作業が行い難くなるのを抑制することができる。
【００４４】
なお、本実施形態では、ウインチ２７の胴部２７ｂにＵボルト６１を掛け渡す構成としたが、これに限られるものではない。例えば、ワイヤーロープ等をウインチ２７の胴部２７ｂに掛け渡して、その両端部を第２巻胴部４５に固定するようにしてもよい。
【図面の簡単な説明】
【００４５】
【図１】本発明の実施形態に係るドラムアダプタが適用されたウインチを有するクローラクレーンを示す側面図である。
【図２】本発明の実施形態に係るドラムアダプタの正面図であり、図３のII−II線における矢視図である。
【図３】前記ドラムアダプタの側面図である。
【図４】図２のIV−IV線における断面図である。
【図５】前記ドラムアダプタの上面図である。
【図６】前記ドラムアダプタの締結部を拡大して示す図である。
【図７】ロープ押え具の斜視図である。
【図８】前記ロープ押え具のウインチのフランジ部への装着例を示す図である。
【図９】前記ロープ押え具のウインチのフランジ部への装着例を示す図である。
【図１０】前記ドラムアダプタの取付工程を説明するための図であり、第２巻胴部をウインチの胴部に被せた状態を示す。
【図１１】前記ドラムアダプタの取付工程を説明するための図であり、Ｕボルトで第２巻胴部を固定した状態を示す。
【図１２】前記ドラムアダプタの取付工程を説明するための図であり、第２巻胴部がウインチの下になるように回転した状態を示す。
【図１３】前記ドラムアダプタの取付工程を説明するための図であり、第２巻胴部に第１巻胴部を締結固定した状態を示す。
【図１４】従来のロープ巻取りドラムを示す断面図である。
【図１５】図１４のXV−XV線における断面図である。
【符号の説明】
【００４６】
２７    第３ウインチ（ウインチの一例）
２７ｂ  胴部
４１    第１巻胴部
４２    巻胴部本体
４３    フランジ部
４５    第２巻胴部
４６    巻胴部本体
４７    フランジ部
５０    第１平板部材
５２    第２平板部材
５７    締結部
５９    取付部
６１    Ｕボルト（押え具の一例）
６３    スリーブ
６４    ナット
７０    ロープ挿通孔
７５    ロープ押え具
７５ｂ  溝部
７５ｃ  ボルト挿通孔
【図１】
2006315810.tif 000003
【図２】
2006315810.tif 000004
【図３】
2006315810.tif 000005
【図４】
2006315810.tif 000006
【図５】
2006315810.tif 000007
【図６】
2006315810.tif 000008
【図７】
2006315810.tif 000009
【図８】
2006315810.tif 000010
【図９】
2006315810.tif 000011
【図１０】
2006315810.tif 000012
【図１１】
2006315810.tif 000013
【図１２】
2006315810.tif 000014
【図１３】
2006315810.tif 000015
【図１４】
2006315810.tif 000016
【図１５】
2006315810.tif 000017